(57)【要約】【課題】  各調光装置に固有の識別情報の通知及び設定が不要で、煩わしさをなくする。【解決手段】  照明負荷についての調光制御を行うための調光信号をＤＭＸ信号により送出する調光卓１０と；ＤＭＸ信号に基づき照明負荷５１−１〜５１−３について調光制御を行う調光器２１−１〜２３−１を少なくとも１台有する調光装置２０−１〜２０−ｎと；調光装置２０−１〜２０−ｎと調光卓１０との間に設けられた調光器モニタ装置３０を備える。調光器モニタ装置３０は、各調光装置に割り当てられたＤＭＸ先頭チャネル情報が記憶された情報テーブル３６と、情報テーブル３６に記憶されたＤＭＸ先頭チャネル情報を用いて調光装置２０−１〜２０−ｎに含まれる調光器の状態情報を収集する情報収集手段３７と、収集した調光器の状態情報を調光卓１０へ送出する送出手段３８とを備える。【選択図】  図１
2006344463.tif 000002
【特許請求の範囲】
【請求項１】
照明負荷についての調光制御を行うための調光信号をＤＭＸ信号により送出する調光卓と；
照明負荷が接続され、ＤＭＸ信号に基づき照明負荷について調光制御を行う調光器を少なくとも１台有する調光装置と；
調光装置と調光卓との間に設けられた調光器モニタ装置であって、各調光装置に割り当てられたＤＭＸ先頭チャネル情報が記憶された情報テーブルと、情報テーブルに記憶されたＤＭＸ先頭チャネル情報を用いて調光装置に含まれる調光器の状態情報を収集する情報収集手段と、収集した調光器の状態情報を調光卓へ送出する送出手段とを備える調光器モニタ装置と；
を具備することを特徴とする調光システム。
【請求項２】
調光器モニタ装置が、外部から送られる各調光装置に割り当てられたＤＭＸ先頭チャネル情報を受けて、各調光装置に対応させてＤＭＸ先頭チャネル情報を情報テーブルへ記憶する記憶制御手段を更に具備していることを特徴とする請求項１に記載の調光システム。
【請求項３】
調光装置には、ＤＭＸ信号を取り込むためのＤＭＸ先頭チャネル情報を設定するための設定手段が設けられており、調光装置はこの設定手段に設定されたＤＭＸ先頭チャネル情報と同一ＤＭＸ先頭チャネル情報による情報収集手段からのポーリングの場合に応答を返送することを特徴とする請求項１または請求項２に記載の調光システム。
【発明の詳細な説明】
【技術分野】
【０００１】
この発明は照明負荷についての調光制御を行うための調光信号をＤＭＸ信号を用いて行っている調光システムに関するものである。
【背景技術】
【０００２】
従来、スタジオやホールなどに用いられている調光システムにあっては、大型のインテリジェント調光器盤を使用し、該インテリジェント調光器盤が上位機器に対して調光器の状態情報を通知し、その情報を調光卓において表示しモニタするものが知られている。
【特許文献１】特開２００５−４４６３９号公報（００５５欄〜００７６欄）
【０００３】
ところで、近年においては小規模な施設に適用することを狙って可搬型調光器が登場しており、この可搬型調光器にあっては、汎用のＤＭＸ機器に接続してＤＭＸによる調光制御を行うものであるため、当該可搬型調光器の識別情報を上位機器へ通知する機能を有していないものが多い。
【発明の開示】
【発明が解決しようとする課題】
【０００４】
前述のインテリジェント調光器盤に代えて上記のような可搬型調光器などを用い、或いは前述のインテリジェント調光器盤と上記のような可搬型調光器などを併用する場合には、可搬型調光器に固有の識別情報を上位機器へ通知する必要があるが、適切な通知手段が備えられておらず新たな手段の追加及び固有の識別情報の設定が必要で煩わしいものである。
【０００５】
本発明は、調光装置に含まれている調光器に関する状態情報を収集する場合に、固有の識別情報に関する通知手段の追加が不要であり、固有の識別情報の設定による煩わしさがない調光システムを提供することを目的としている。
【課題を解決するための手段】
【０００６】
本発明に係る調光システムは、照明負荷についての調光制御を行うための調光信号をＤＭＸ信号により送出する調光卓と；照明負荷が接続され、ＤＭＸ信号に基づき照明負荷について調光制御を行う調光器を少なくとも１台有する調光装置と；調光装置と調光卓との間に設けられた調光器モニタ装置であって、各調光装置に割り当てられたＤＭＸ先頭チャネル情報が記憶された情報テーブルと、情報テーブルに記憶されたＤＭＸ先頭チャネル情報を用いて各調光装置に含まれる調光器の状態情報を収集する情報収集手段と、収集した調光器の状態情報を調光卓へ送出する送出手段と、を備える調光器モニタ装置と；を具備することを特徴とする。
また、本発明においては、情報テーブルにＤＭＸ先頭チャネル情報と共に当該調光装置に含まれる調光器の数情報が記憶され、収集した状態情報の点検のために上記調光器の数情報を用いることもできる。これにより、適切な状態情報の収集点検を行うことができる。
【０００７】
本発明に係る調光システムは、調光器モニタ装置が、外部から送られる各調光装置に割り当てられたＤＭＸ先頭チャネル情報を受けて、各調光装置に対応させてＤＭＸ先頭チャネル情報を情報テーブルへ記憶する記憶制御手段を更に具備していることを特徴とする。
【０００８】
本発明に係る調光システムでは、調光装置には、ＤＭＸ信号を取り込むためのＤＭＸ先頭チャネル情報を設定するための設定手段が設けられており、調光装置はこの設定手段に設定されたＤＭＸ先頭チャネル情報と同一ＤＭＸ先頭チャネル情報による情報収集手段からのポーリングの場合に応答を返送することを特徴とする。
また、本発明は、各調光装置に状態情報を記憶するメモリを備えさせ、調光器モニタ装置の制御部が、情報テーブルに記憶されたＤＭＸ先頭チャネル情報を用いて各調光装置の上記メモリをアクセスして状態情報を収集する構成を採用することも可能である。これにより、調光装置から調光器モニタ装置に状態情報を一度の通信にて送信することができるため、処理が煩雑とならず好適である。
【発明の効果】
【０００９】
本発明によれば、各調光装置に割り当てられたＤＭＸ先頭チャネル情報が記憶された情報テーブルに記憶されたＤＭＸ先頭チャネル情報を用いて調光装置に含まれる調光器の状態情報を収集するので、調光制御を行うためのＤＭＸ信号によるＤＭＸ先頭チャネル情報と同じ情報により各調光装置を指定することができ、調光装置が固有の識別情報を上位機器へ通知する機能を備えていない場合にも適切に状態情報の収集が可能である。
【００１０】
また、調光装置には、ＤＭＸ信号を取り込むためのＤＭＸ先頭チャネル情報を設定するための設定手段が設けられており、調光装置はこの設定手段に設定されたＤＭＸ先頭チャネル情報と同一ＤＭＸ先頭チャネル情報による情報収集手段からのポーリングの場合に応答を返送するので、ポーリング用のアドレス設定を各調光装置において行う必要がなく、設定の煩わしさがなくまた設定ミスを少なくできる。
【発明を実施するための最良の形態】
【００１１】
本発明においては、情報テーブルに記憶された各調光装置に割り当てられたＤＭＸ先頭チャネル情報を用いて調光装置に含まれる調光器の状態情報を収集する構成を採用することにより、各調光装置に固有の識別情報に関する通知手段の追加を不要とし、固有の識別情報の設定による煩わしさをなくするという目的を達成したものである。
【実施例】
【００１２】
以下、添付図面を参照して本発明に係る調光システムの実施例を説明する。実施例に係る調光システムは、図１に示されるように構成される。調光システムには、調光卓１０、調光装置２０−１〜２０−ｎ、調光器モニタ装置３０から構成され、必要な場合に外部装置４０が調光器モニタ装置３０に接続される。
【００１３】
調光卓１０は、照明負荷についての調光制御を行うための調光信号をＤＭＸ信号により送出するものである。ここに、ＤＭＸ信号は、米国劇場技術協会（ＵＳＩＴＴ）が規格した演出分野などに用いられるディジタル信号であり、調光制御用の調光信号の規格として用いられているＤＭＸ５１２を指している。ＤＭＸ５１２は、スタートビットとストップビットに挟まれたそれぞれが８ビットにより構成されるチャネルが５１２チャネル多重化された構成を１フレームとする信号であり、上記５１２チャネルにおける所定の１チャネルが１つの調光器へ調光制御を行う２５５階調（８ビット）の調光信号とされる。１フレームの開始検出は、ブレーク（ＢＲＥＡＫ）とスタートコードを検出することにより行われる。また、各調光装置に含まれている調光器に対応するチャネルは、上記フレームの開始からスタートビットとストップビットに挟まれたチャネルが幾つ到来したかをカウントして検出する。
【００１４】
図１における調光装置２０−１〜２０−ｎは、例えば可搬型調光器などと称されるものであり、各調光装置２０−１〜２０−ｎは、それぞれ１台以上の調光器を備え、各調光器には、照明負荷が接続されている。この図１においては、調光装置２０−１を代表例として示しており、調光装置２０−１には、調光器２１−１、２２−１、２３−１が備えられており、それぞれに照明負荷５１−１、５２−１、５３−１が接続されている。調光装置２０−１〜２０−ｎは、通常最大で３２台まで接続可能であるが、信号を増幅するリピータを３２台目以降の伝送ラインに介在させることにより３３台以上の接続が可能となるものである。
【００１５】
各調光装置２０−１〜２０−ｎには制御部が備えられており、制御部には、ＤＭＸ信号を取り込むためのＤＭＸ先頭チャネル情報を設定するための設定手段として、例えばＤＭＸ先頭チャネル情報設定スイッチが設けられている。調光装置２０−１を代表例として示している図１においては、調光装置２０−１の制御部２５−１には、ＤＭＸ先頭チャネル情報設定スイッチ２６−１が設けられている。制御部２５−１は、ＤＭＸ先頭チャネル情報設定スイッチ２６−１に設定されたＤＭＸ先頭チャネル情報に対応するチャネルのＤＭＸ信号から、制御部２５−１に接続されている調光器２１−１、２２−１、２３−１の数に対応するチャネルのＤＭＸ信号を波形再生などの中継処理を行って調光器２１−１、２２−１、２３−１が接続されているラインへ通過させるものである。調光器２１−１、２２−１、２３−１はそれぞれ、自らのチャネルに対応する調光信号をラインから取り込み、この調光信号に基づき照明負荷に対する調光制御を行うものである。
【００１６】
また、各調光装置２０−１〜２０−ｎに設けられている制御部は、調光器から状態情報を予め定められた時刻に或いは調光器モニタ装置３０による要求に応じて調光器モニタ装置３０へ送出するものである。例えば、調光装置２０−１に備えられた制御部２５−１は、調光器モニタ装置３０からポーリングによる呼び出しがなされた場合に、ポーリングに係る呼び出し情報のアドレスが設定手段であるＤＭＸ先頭チャネル情報設定スイッチ２６−１に設定されたＤＭＸ先頭チャネル情報と同一ＤＭＸ先頭チャネル情報がアドレスとされている場合に応答を返送するものである。
【００１７】
調光器モニタ装置３０には、制御部３１、受信処理部３２、送信処理部３３、送受信処理部３４、３５及び情報テーブル３６が備えられている。制御部３１は、調光信号（ＤＭＸ５１２）の中継制御、各調光装置２０−１〜２０−ｎに設けられている調光器から状態情報の収集、更に収集した状態情報について調光卓１０への送出を行うものである。
【００１８】
受信処理部３２は、調光卓１０により送られてくる調光信号を受信して制御部３１へ渡すものであり、送信処理部３３は、制御部３１から送られる調光信号を受けて各調光装置２０−１〜２０−ｎへ送出するものである。送受信処理部３４は、制御部３１と調光卓１０との間において信号の送受信を行い、送受信処理部３５は、制御部３１と各調光装置２０−１〜２０−ｎとの間において信号の送受を行うものである。情報テーブル３６は、各調光装置２０−１〜２０−ｎに割り当てられたＤＭＸ先頭チャネル情報と共に当該調光装置に含まれる調光器の数情報が記憶されるもので、例えばＥＥＰＲＯＭなどにより構成される。
【００１９】
制御部３１には、情報収集手段３７、送出手段３８、記憶制御手段３９が備えられている。情報収集手段３７は、情報テーブル３６に記憶されたＤＭＸ先頭チャネル情報と調光器の数情報を用いて各調光装置に含まれる調光器の状態情報を収集するものである。送出手段３８は、上記情報収集手段３７により収集された調光器の状態情報を調光卓１０へ送出するものである。記憶制御手段３９は、例えば外部装置４０などにより外部から送られる各調光装置２０−１〜２０−ｎに割り当てられたＤＭＸ先頭チャネル情報と調光器の数情報を受けて、情報テーブル３６へ各調光装置に対応させてＤＭＸ先頭チャネル情報と調光器の数情報を記憶するものである。
【００２０】
外部装置４０は、例えばパーソナルコンピュータにより構成され、プロセッサを備える制御部３１とインタフェースを介して接続される。オペレータは外部装置４０を操作して各調光装置２０−１〜２０−ｎに割り当てられたそれぞれのＤＭＸ先頭チャネル情報と調光器の数情報を入力すると共に、この入力した情報を調光器モニタ装置３０へ送出するコマンドを入力することになる。
【００２１】
以上のように構成された調光システムにあっては、システムの運用開始に際して上記外部装置４０を調光器モニタ装置３０に接続して、各調光装置２０−１〜２０−ｎにそれぞれ割り当てられたＤＭＸ先頭チャネル情報と調光器の数情報の入力及び調光器モニタ装置３０における情報テーブル３６への設定指示を上記コマンド入力により行う。これに応じて調光器モニタ装置３０では、制御部３１が記憶制御手段３９として動作し、情報テーブル３６へ各調光装置に対応させてＤＭＸ先頭チャネル情報と調光器の数情報を記憶する。これにより、図２に示されるような情報が情報テーブル３６に記憶されることになる。
【００２２】
上記情報テーブル３６への情報設定と並行して或いは前後して、調光装置２０−１におけるＤＭＸ先頭チャネル情報設定スイッチ２６−１についての設定をはじめとして、各調光装置２０−１〜２０−ｎにおけるＤＭＸ先頭チャネル情報設定スイッチについての設定を行う。これにより、初期設定が完了し、調光卓１０を操作して各調光装置２０−１〜２０−ｎに含まれている所望の調光器に対し所望の調光制御を行う情報を入力することで、調光卓１０からは入力に応じた調光制御を指示する調光信号（ＤＭＸ５１２）が送出される。
【００２３】
上記調光信号（ＤＭＸ５１２）は、調光器モニタ装置３０の受信処理部３２により受け取られて制御部３１へ送られ、制御部３１は中継を行って送信処理部３３から各調光装置２０−１〜２０−ｎへと送出する。各調光装置２０−１〜２０−ｎでは、内部の各調光器においてＤＭＸ先頭チャネル情報設定スイッチに対応するチャネルを、ＤＭＸ５１２のフレームの開始からスタートビットとストップビットに挟まれたチャネルが幾つ到来したかをカウントして検出し、該当チャネルを取り込み、これ以降の自装置に含まれる調光器数に対応する数のチャネルを取り込んで調光器側へ通過させる。それぞれの調光器では上記制御部が通過させたチャネルの中から対応するチャネルの調光信号（ＤＭＸ信号）を取り込み、これに基づき照明負荷に対する調光制御を実行する。
【００２４】
また、この例では調光器モニタ装置３０によるポーリングのタイミングに拘わりなく、各調光装置２０−１〜２０−ｎの制御部が調光器から状態情報を集収し、保持しているものとする。例えば、調光装置２０−１について説明すると、所定時間毎に調光器２１−１、２２−１、２３−１に設けられた各種センサなどにより照明負荷の短絡、過負荷の照明負荷の接続、照明負荷の温度などの状態情報を収集し、図３に示されるようにテーブル化して保持している。
【００２５】
上記に対し、調光器モニタ装置３０の制御部３１では例えば所定時間毎に情報収集手段３７が起動され、情報テーブル３６に記憶された各調光装置対応のＤＭＸ先頭チャネル情報と調光器の数情報を用いて各調光装置に含まれる調光器の状態情報を収集する。調光装置２０−１からの情報集を例として説明すると、制御部３１は情報テーブル３６の最初に記憶された調光装置２０−１についてのＤＭＸ先頭チャネル情報（図２では例えば、１０１）を取り出して、ＤＭＸ先頭チャネル情報１０１をアドレスとしてポーリングによる呼び出しにより状態情報の要求を行う。
【００２６】
調光装置２０−１の制御部２５−１は、アドレスがＤＭＸ先頭チャネル情報１０１であるポーリングを受けると、ＤＭＸ先頭チャネル情報設定スイッチ２６−１の情報（適切に設定されているときには１０１）を参照して上記アドレスと一致していることを検出し、このポーリングに応えて、ＤＭＸ先頭チャネル情報設定スイッチ２６−１の情報（１０１）に対応する調光器２１−１〜２１−３に関する状態情報を上記図３に示すように保持してあるテーブルから取り出して、調光器モニタ装置３０へ返送する。
【００２７】
次に、調光器モニタ装置３０は調光装置２０−１の制御部２５−１から送られてくる調光器２１−１、２２−１、２３−１の状態情報を受け取り、保持する。この状態情報の受け取りの場合に、調光装置２０−１の識別情報に対応して登録してある調光器の数情報（図２の例では、３）を取り出し、調光装置２０−１に存在する調光器の数に対応する状態情報が得られたかを確認し、過不足がある場合には収集異常と判定し、状態情報の破棄などの定められた処理を行う。
【００２８】
次に、調光器モニタ装置３０は情報テーブル３６を参照して調光装置２０−１の次に登録してある調光装置２０−２についてのＤＭＸ先頭チャネル情報（図２では、１０４）を取り出し、ＤＭＸ先頭チャネル情報１０４をアドレスとしてポーリングによる呼び出しにより状態情報の要求を行う。これに応えて、調光装置２０−２から調光装置２０−２に含まれる全ての調光器の状態情報が返送される。この場合にも調光器モニタ装置３０は、調光装置２０−２の識別情報に対応して登録してある調光器の数情報（図２の例では、３）を取り出し、状態情報が正常に収集できたかの確認を行う。正常に収集できた状態情報は保持される。以下、上記と同様に、情報テーブル３６に登録されている調光装置２０−３〜２０−ｎへのポーリングによる呼び出しを行うことにより状態情報の要求を行って、調光装置２０−３〜２０−ｎから調光装置２０−３〜２０−ｎに含まれるそれぞれの調光器の状態情報を収集する。
【００２９】
調光器モニタ装置３０は上記のようにして調光装置２０−１〜２０−ｎから各調光器に関する状態情報の収集を行うとすぐに、或いは所定時刻等の到来を待って、上記収集に係る各調光器に関する状態情報を調光卓１０へ送出する。このとき、調光卓１０における表示では、まず、図４に示されるように、調光装置２０−１〜２０−ｎにおける各調光器の状態について正常・異常のみをアドレスと共に調光卓１０の表示器に表示させるためにホームページ画像等の情報を送り、調光卓１０に表示されたホームページ画像における所要調光器の位置をマウスでクリックするなどの指定操作に応じて、図５に示される如くの当該調光器の状態情報をウインドウに或いは画面全体に表示する。図５においては、アドレスが１０２の調光器についての状態情報が表示される様子を示している。
【００３０】
以上の通り、調光器モニタ装置３０における情報テーブル３６には、各調光装置２０−１〜２０−ｎに割り当てられたＤＭＸ先頭チャネル情報と共に当該調光装置に含まれる調光器の数情報が記憶され、これに基づきポーリングを行って各調光器の状態情報を得るため、調光器を含む調光装置においては自らに設けられたＤＭＸ先頭チャネル情報設定スイッチ設定されたＤＭＸ先頭チャネル情報と一致するアドレスのポーリングに対して応答することで対応でき、各調光装置において、ＤＭＸ先頭チャネル情報以外に、固有の識別情報に関する通知手段の追加を不要とし、固有の識別情報の設定による煩わしさをなくすることができるものである。
【００３１】
上記の実施例では、情報テーブル３６にＤＭＸ先頭チャネル情報と共に当該調光装置に含まれる調光器の数情報が記憶され、収集した状態情報の点検のために上記調光器の数情報を用いるものことにより、適切な状態情報の収集点検を行うことができる。なお、調光装置２０−１〜２０−ｎの制御部が、調光器モニタ装置３０の制御部３１からのポーリングに応答して状態情報を返送する機能を備えるものとしたが、各調光装置に状態情報を記憶するメモリを備えさせ、調光器モニタ装置３０の制御部３１が、情報テーブル３６に記憶されたＤＭＸ先頭チャネル情報を用いて各調光装置の上記メモリをアクセスして状態情報を収集する構成を採用することも可能である。
【図面の簡単な説明】
【００３２】
【図１】本発明に係る調光システムの実施例を示す構成図。
【図２】本発明に係る調光システムに採用されている情報テーブルの構成図。
【図３】本発明に係る調光システムの調光装置にて収集された状態情報の一例を示す図。
【図４】本発明に係る調光システムの調光卓において表示された各調光器の状態情報の一覧表示例を示す図。
【図５】本発明に係る調光システムの調光卓において選択表示された一の調光器に係る状態情報の一表示例を示す図。
【符号の説明】
【００３３】
１０  調光卓
２０−１〜２０−ｎ  調光装置
２１−１、２２−１、２３−１  調光器
２５−１  制御部
２６−１  ＤＭＸ先頭チャネル設定スイッチ
３０  調光器モニタ装置
３１  制御部
３２  受信処理部
３３  送信処理部
３４、３５  送受信処理部
３６  情報テーブル
３７  情報収集手段
３８  送出手段
３９  記憶制御手段
４０  外部装置
【図１】
2006344463.tif 000003
【図２】
2006344463.tif 000004
【図３】
2006344463.tif 000005
【図４】
2006344463.tif 000006
【図５】
2006344463.tif 000007